(57)【要約】【課題】  起動時間を短縮できるスライドバリア付きカメラを提供する。【解決手段】  本発明にかかるカメラは、撮影レンズ２２を覆う閉位置と、撮影レンズ２２から退避する開位置とに摺動自在なスライドバリア２０と、スライドバリア２０が閉位置と開位置との間に位置することを検知する第１検知スイッチ３４と、第１検知スイッチ３４によりスライドバリア２０が閉位置と開位置との間に位置することが検知されたとき、カメラを起動させる制御部４０とを有することを特徴とする。【選択図】図３Ａ
2005215576.tif 000002
【特許請求の範囲】
【請求項１】
撮影レンズを覆う閉位置と、撮影レンズから退避する開位置とに摺動自在なスライドバリアと、
前記スライドバリアが閉位置と開位置との間に位置することを検知する第１検知手段と、
前記第１検知手段により前記スライドバリアが閉位置と開位置との間に位置することが検知されたとき、カメラを起動させる制御手段とを有することを特徴とするカメラ。
【請求項２】
前記制御手段はＣＰＵにより構成され、前記カメラは、対象物の画像を取得する撮像素子、および、取得した画像を表示する表示部をさらに備え、
前記カメラの起動には、前記ＣＰＵ、撮像素子、表示部のうち少なくともＣＰＵの起動が含まれることを特徴とする請求項１に記載のカメラ。
【請求項３】
前記カメラは、撮影モード以外のモードの開始を指示する指示手段をさらに備え、
前記指示手段により撮影モード以外のモードの実行が指示された後に、前記第１検知手段により前記スライドバリアが閉位置と開位置との間に位置することが検知されたとき、前記制御手段により撮影モードが実行されることを特徴とする請求項１に記載のカメラ。
【請求項４】
前記カメラは、前記撮影レンズを含む鏡胴部をさらに備え、前記鏡胴部は、撮影時にカメラ本体から突出しないことを特徴とする請求項１に記載のカメラ。
【請求項５】
前記第１検知手段は、前記スライドバリアが閉位置近傍にあることを検知することを特徴とする請求項１に記載のカメラ。
【請求項６】
前記カメラは、前記スライドバリアが開位置にあることを検知する第２検知手段をさらに備えることを特徴とする請求項１に記載のカメラ。
【請求項７】
前記第２検知手段により前記スライドバリアが開位置にあることが検知されたとき、前記制御手段は、撮影動作の開始を許可することを特徴とする請求項６に記載のカメラ。
【請求項８】
前記第２検知手段により前記スライドバリアが開位置にあることが検知されていないとき、前記制御手段は、撮影動作の開始を禁止することを特徴とする請求項６に記載のカメラ。
【請求項９】
前記第１検知手段と前記第２検知手段とは、１つの検知手段により構成されていることを特徴とする請求項６に記載のカメラ。
【請求項１０】
前記第２検知手段により前記スライドバリアが開位置にあることが検知された後に、前記第１検知手段により前記スライドバリアが閉位置近傍にあることが検知されたとき、前記制御手段はカメラの電源をオフすることを特徴とする請求項５または６に記載のカメラ。
【請求項１１】
撮影レンズを覆う閉位置と、撮影レンズから退避する開位置とに摺動自在なスライドバリアと、
前記スライドバリアが閉位置にあることを検知する検知手段と、
前記検知手段が検知作動しないとき、カメラを起動させる制御手段とを有することを特徴とするカメラ。
【請求項１２】
前記制御手段はＣＰＵにより構成され、前記カメラは、対象物の画像を取得する撮像素子、および、取得した画像を表示する表示部をさらに備え、
前記カメラの起動には、前記ＣＰＵ、撮像素子、表示部のうち少なくともＣＰＵの起動が含まれることを特徴とする請求項１１に記載のカメラ。
【請求項１３】
前記検知手段が非検知作動に続いて再び検知作動するとき、前記制御手段はカメラの電源をオフすることを特徴とする請求項１１に記載のカメラ。
【請求項１４】
前記カメラは、前記撮影レンズを含む鏡胴部をさらに備え、前記鏡胴部は、撮影時にカメラ本体から突出しないことを特徴とする請求項１１に記載のカメラ。
【発明の詳細な説明】
【技術分野】
【０００１】
本発明は、閉位置と開位置との間で摺動自在であって前記閉位置において撮影レンズを覆って保護するスライドバリアを有するカメラに関する。
【背景技術】
【０００２】
従来、閉位置と開位置との間で摺動自在であって前記閉位置において撮影レンズを覆って保護するスライドバリアを有するカメラが知られている。このようなカメラにおいては、スライドバリアが閉位置から開位置までスライド移動を完了した時点で、電源をオンしてカメラの起動を開始するものが多い。特に撮影レンズを含む鏡胴部がカメラ本体から突出した撮影スタンバイ位置に繰り出されるタイプのカメラでは、スライドバリアと鏡胴部との干渉を防止するために、スライドバリアを開き切った時点で鏡胴部を繰り出して起動状態になるのが一般的である。
【０００３】
【特許文献１】特開２００３−１２１９０３号公報
【特許文献２】特開２００２−９０８１２号公報
【特許文献３】特開２０００−３５６０５号公報
【発明の開示】
【発明が解決しようとする課題】
【０００４】
しかしながら、特に撮影レンズを含む鏡胴部がカメラ本体から突出しないタイプのカメラでは、スライドバリアが鏡胴部と干渉することはない。それにもかかわらず、スライドバリアが閉位置から完全開位置へ移動するまでカメラの起動を待っていたのでは、スライドバリアの完全開位置までの移動時間がカメラの起動時間に含まれてしまうことになる。
また、とりわけ近時においては、カメラの起動時間の短縮化が注目されている状況もある。
【０００５】
そこで、本発明は、スライドバリアを閉位置から開位置へ向けてスライドさせ始めたら直ちにカメラを起動することにより起動時間の短縮を図れるカメラを提供することを目的とする。
【課題を解決するための手段】
【０００６】
前記目的を達成するために本発明の第１態様のカメラは、撮影レンズを覆う閉位置と、撮影レンズから退避する開位置とに摺動自在なスライドバリアと、
前記スライドバリアが閉位置と開位置との間に位置することを検知する第１検知手段と、
前記第１検知手段により前記スライドバリアが閉位置と開位置との間に位置することが検知されたとき、カメラを起動させる制御手段とを有することを特徴とするものである。
【０００７】
本発明の第１態様のカメラでは、前記制御手段はＣＰＵにより構成され、前記カメラは、対象物の画像を取得する撮像素子、および、取得した画像を表示する表示部をさらに備え、
前記カメラの起動には、前記ＣＰＵ、撮像素子、表示部のうち少なくともＣＰＵの起動が含まれてもよい。
【０００８】
また、本発明の第１態様のカメラでは、撮影モード以外のモードの開始を指示する指示手段をさらに備え、
前記指示手段により撮影モード以外のモードの実行が指示された後に、前記第１検知手段により前記スライドバリアが閉位置と開位置との間に位置することが検知されたとき、前記制御手段により撮影モードが実行されるようにしてもよい。
【０００９】
また、本発明の第１態様のカメラでは、前記撮影レンズを含む鏡胴部をさらに備え、前記鏡胴部は、撮影時にカメラ本体から突出しないものであってもよい。
【００１０】
また、本発明の第１態様のカメラでは、前記第１検知手段は、前記スライドバリアが閉位置近傍にあることを検知してもよい。
【００１１】
また、本発明の第１態様のカメラでは、前記スライドバリアが開位置にあることを検知する第２検知手段をさらに備えていてもよい。
【００１２】
また、本発明の第１態様のカメラでは、前記第２検知手段により前記スライドバリアが開位置にあることが検知されたとき、前記制御手段は、撮影動作の開始を許可してもよい。
【００１３】
また、本発明の第１態様のカメラでは、前記第２検知手段により前記スライドバリアが開位置にあることが検知されていないとき、前記制御手段は、撮影動作の開始を禁止してもよい。
【００１４】
また、本発明の第１態様のカメラでは、前記第１検知手段と前記第２検知手段とが１つの検知手段により構成されていてもよい。
【００１５】
さらに、本発明の第１態様のカメラでは、前記第２検知手段により前記スライドバリアが開位置にあることが検知された後に、前記第１検知手段により前記スライドバリアが閉位置近傍にあることが検知されたとき、前記制御手段はカメラの電源をオフしてもよい。
【００１６】
本発明の第２態様のカメラは、撮影レンズを覆う閉位置と、撮影レンズから退避する開位置とに摺動自在なスライドバリアと、
前記スライドバリアが閉位置にあることを検知する検知手段と、
前記検知手段が検知作動しないとき、カメラを起動させる制御手段とを有することを特徴とするものである。
【００１７】
本発明の第２態様のカメラでは、前記制御手段はＣＰＵにより構成され、前記カメラは、対象物の画像を取得する撮像素子、および、取得した画像を表示する表示部をさらに備え、
前記カメラの起動には、前記ＣＰＵ、撮像素子、表示部のうち少なくともＣＰＵの起動が含まれてもよい。
【００１８】
また、本発明の第２態様のカメラでは、前記検知手段が非検知作動に続いて再び検知作動するとき、前記制御手段はカメラの電源をオフしてもよい。
【００１９】
さらに、本発明の第２態様のカメラでは、前記撮影レンズを含む鏡胴部をさらに備え、前記鏡胴部は、撮影時にカメラ本体から突出しないものであってもよい。
【発明の効果】
【００２０】
本発明の第１態様のカメラによれば、スライドバリアが閉位置と開位置との間（特に閉位置近傍）に位置することが検知されたら、直ちに制御手段がカメラを起動するので、スライドバリアが開位置に到達してからカメラを起動するのに比べて、起動時間を短縮できる。
【００２１】
また、本発明の第２態様のカメラでは、カメラが一旦起動された後、検知手段によってスライドバリアが閉位置にあることを検知したときにのみ電源がオフされるようにすることができるので、スライドバリアが開位置まで完全に移動した後に閉位置側に少しだけ移動しただけでは電源はオフされない。したがって、従来のスライドバリア付きカメラでは、スライドバリアを開位置から不用意に閉位置側に少しだけ移動させた場合にも電源がオフされてしまって再起動を必要とするものがあったが、本発明の第２態様のカメラではそのようなことはなく、再起動の煩雑さや時間的ロスを回避できる。
【発明を実施するための最良の形態】
【００２２】
以下に、本発明の実施の形態について添付図面を参照して説明する。
図１Ａおよび図１Ｂは本発明の第１実施形態であるデジタルカメラ（以下、単に「カメラ」という。）１０の正面図、図１Ｃはカメラ１０の背面図である。カメラ１０は、矩形筐体からなるカメラ本体１２を備えている。カメラ本体１２の上面には撮影を実行するためのレリーズボタン１４が設けられ、カメラ本体１２の前面上部には対物側の光学ファイダ１６と、撮影時に被写体を照明する例えばキセノン管、白色ＬＥＤなどで構成されるフラッシュ１８とが設けられている。
【００２３】
カメラ本体１２の前面外部には、屈曲光学系１００に含まれる撮影レンズ２２の開口部を覆って保護する略矩形状のアウタスライドバリア２０が設けられている。アウタスライドバリア２０には、使用者の指がかかりやすくするための凹部２１が設けられている。また、アウタスライドバリア２０は、図１Ａに示す閉位置と図１Ｂに示す開位置との間で、横方向に摺動自在になっている。ここで、「横方向」とは、カメラ本体１２が通常使用状態（レリーズボタン１４が上向きの状態）にあるときの左右方向をいう。アウタスライドバリア２０が閉位置にあるとき、カメラ本体１２の前面に配置された撮影レンズ２２がアウタスライドバリア２０によって覆われ、アウタスライドバリア２０が開位置にあるときアウタスライドバリア２０が撮影レンズ２２から退避することによって撮影レンズ２２が完全に露出されるようになっている。
【００２４】
なお、本実施形態では、アウタスライドバリア２０は横方向にスライドするようになっているが、アウタスライドバリア２０は前記横方向と交差する方向（縦方向または斜め方向）にスライドするようになっていてもよい。
また、閉位置にあるときに撮影レンズ２２をカバーするスライド移動可能なスライドバリアは、カメラ本体１２の外部に設けられている場合に限らず、カメラ本体１２の内部に設けられていてもよい。
さらに、カメラ１０は、撮影スタンバイ時および撮影時に、撮影レンズ２２を含む鏡胴部がカメラ本体１２から突出しないタイプのものであるが、撮影スタンバイ時および撮影時に前記鏡胴部がカメラ本体１２から繰り出されて突出するタイプのものであってもよい。
【００２５】
図１Ｃに示すように、カメラ本体１２の背面には、接眼側の光学ファインダ２４と、例えば液晶、有機ＥＬ、プラズマディスプレなどで構成され、取得した画像を表示する表示部２６と、上下左右のオンボタンと中央のプッシュボタンとで構成される十字キー２８と、例えばメニューボタン、削除ボタン、モニタボタンなどの各種機能設定ボタン３０ａ，３０ｂ，３０ｃ，３０ｄが設けられている。
【００２６】
図２Ａおよび図２Ｂは、前記鏡胴部を含む屈曲光学系１００の詳細を示す。屈曲光学系１００は、対物レンズである撮影レンズ２２、プリズム（またはミラー）１０２、ズームレンズ群１０３、シャッタおよび絞り１０４、フォーカスレンズ群１０５、ローパスフィルタ１０６、対象物の画像を取得する撮像素子（例えばＣＣＤまたはＣ−ＭＯＳ）１０７、冷却板１０８、および、回路基板１０９を含む。撮影レンズ２２から入射してプリズム１０２で反射された被写体光は、レンズ群１０３，１０５を透過して、撮像素子１０７に結像するようになっている。また、前記鏡胴部を含む屈曲光学系１００は、ズームレンズ群１０３が移動して焦点距離が変化するが、カメラ本体１２からの繰り出しは行われないようになっている。
【００２７】
図３Ａはアウタスライドバリア２０の内部構造を示す。アウタスライドバリア２０は、上下一対のガイド部材３２ａ，３２ｂによってガイドされながらスライド移動可能または摺動自在になっている。また、アウタスライドバリア２０には、スライド方向に延びる検知突片２３が一体に設けられている。さらに、アウタスライドバリア２０の検知突片２３のスライド方向に沿って第１検知スイッチ（第１検知手段）３４と第２検知スイッチ（第２検知手段）３６とが所定間隔をおいて並んでカメラ本体１２に固定されている。
【００２８】
第１検知スイッチ３４はアウタスライドバリア２０が閉位置と開位置との間に位置すること、特にアウタスライドバリア２０が閉位置近傍または閉位置に位置することを検知するためのものであり、第２検知スイッチ３６はアウタスライドバリア２０が開位置にあることを検知するためのものである。
【００２９】
すなわち、第１検知スイッチ３４は、図３Ａに示すようにオフ状態にあるときアウタスライドバリア２０が閉位置にあることを検知することができ、図３Ｂに示すようにアウタスライドバリア２０が閉位置から開位置へ向けて開き始めたときに検知突片２３が係合することによりオン状態となり、これによりアウタスライドバリア２０が閉位置近傍に位置すること検知することができる。
【００３０】
一方、第２検知スイッチ３６は、図３Ａおよび図３Ｂに示すようにオフ状態にあるときアウタスライドバリア２０が開位置にないことを検知することができ、図３Ｃに示すようにアウタスライドバリア２０が開位置に来たときに検知突片２３が係合することによりオン状態となり、これによりアウタスライドバリア２０が開位置にあることを検知することができる。
【００３１】
図４はカメラ１０のブロック図である。カメラ１０は、ＣＰＵで構成される制御部４０を備えている。制御部４０には、第１検知スイッチ３４および第２検知スイッチ３６からオン信号が入力されるようになっており、後述するように第１検知スイッチ３４からオン信号が入力されるとカメラ１０が電源オンされてＣＰＵ４０が撮影モードに起動されるようになっている。なお、ＣＰＵ４０は、電源オフ状態でも第１検知スイッチ３４からのオン信号入力を検知できる予備作動状態にあり、前記オン信号入力によってカメラ電源がオンされることで撮影モードでの作動状態に起動するようになっている。
【００３２】
次に、上記構成からなるカメラ１０の動作および制御について、制御部４０で実行される制御フローを示す図５を参照して説明する。
まず、第１検知スイッチ３４がオンされたかどうかを判断し（ステップＳ１）、オンされるまで（すなわち使用者によってアウタスライドバリア２０の開操作が開始されるまで）待機する。
【００３３】
使用者によってアウタスライドバリア２０の開操作が開始されて第１検知スイッチ３４がオンすると、電源がオンされてカメラ１０が起動される（ステップＳ２）。これにより、ＣＰＵ４０が起動されて撮影モードが実行され（ステップＳ３）、撮像素子１０７及び表示部２６の起動とフラッシュ１８の充電とが開始されるとともに、屈曲光学系１００の各レンズが初期設定される（ステップＳ４）。
【００３４】
その後、第２検知スイッチ３６がオンしたかどうか（すなわちアウタスライドバリア２０が開位置に来たかどうか）を判断し（ステップＳ５）、オンするまで待機する。そして、アウタスライドバリア２０が開位置に到達して第２検知スイッチ３６がオンすると、表示部２６でのライブビュー表示を開始して（ステップＳ６）、レリーズを許可する（ステップＳ７）。これにより、カメラ１０は撮影可能な状態になる。
なお、この制御フローでは、アウタスライドバリア２０が開位置に到達したときにライブビュー表示を開始しているが、前記ステップＳ３での撮影モードの実行時にライブビュー表示を開始してもよい。
【００３５】
次いで、レリーズボタン１４がオンされたかどうかを判断し（ステップＳ８）、オンされたら撮影を実行する（ステップＳ９）。ここで、撮影の実行には、露光、画像データ処理、画像データ記録、表示部２６での撮影画像のアフタービュー表示などが含まれる。一方、レリーズボタン１４がオンされない場合には、次のステップＳ１０に進む。
【００３６】
ステップＳ１０において、第２検知スイッチ３６がオフされたかどうか（すなわち使用者が閉操作を開始することでアウタスライドバリア２０が開位置から閉位置に向けて移動したかどうか）を判断し、オフされた場合にはレリーズを禁止し（ステップＳ１１）、一方、オフされていない場合には前記ステップＳ７に戻る。
【００３７】
そして、第１検知スイッチ３４がオフしたかどうか（すなわちアウタスライドバリア２０が閉位置に到達したかどうか）を判断し（ステップＳ１２）、オフしていない場合には前記ステップＳ１０に戻り、一方、第１検知スイッチ３４がオフした場合には、表示部２６をオフして（ステップＳ１３）、屈曲光学系１００の各レンズを所定位置にセットした後（ステップＳ１４）、電源をオフする（ステップＳ１５）。
【００３８】
このように、本実施形態のカメラ１０では、第１検知スイッチ３４によってアウタスライドバリア２０が閉位置と開位置の間であって閉位置近傍に位置することを検知したら、直ちに制御部４０が電源をオンしてカメラの起動を開始するので、アウタスライドバリア２０が開位置に到達してから起動を開始するのに比べて、起動時間を短縮できる。
【００３９】
また、カメラ１０が一旦起動された後、第１検知スイッチ３４によってアウタスライドバリア２０が閉位置にあることを検知したときにのみ電源がオフされるようにすることができるので、アウタスライドバリア２０が開位置まで完全に移動した後に閉位置側に少しだけ移動しただけでは電源はオフされない。したがって、従来のアウタスライドバリア付きカメラでは、アウタスライドバリアを開位置から不用意に閉位置側に少しだけ移動させた場合にも電源がオフされてしまって再起動を必要とするものがあったが、本実施形態のカメラ１０ではそのようなことはなく、再起動の煩雑さや時間的ロスを回避できる。
【００４０】
次に、第２実施形態のデジタルカメラ（以下、単に「カメラ」という）５０について説明する。なお、第１実施形態のカメラ１０と同一部材には同一符号を付して詳細な説明を省略する。
【００４１】
図６Ａおよび図６Ｂはカメラ５０の正面側から見た斜視図である。カメラ５０は、矩形筐体からなるカメラ本体１２を備えている。カメラ本体１２の上面には、レリーズボタン１４と電源スイッチ（指示手段）１５とが設けられている。電源スイッチ１５がオンされたとき、撮影モード以外のモード（例えば再生モード）の実行が指示されるようになっている。
【００４２】
カメラ本体１２の前面外部には、撮影レンズ２２の開口部を覆って保護する保護部材である円盤状のアウタスライドバリア５２が設けられている。アウタスライドバリア５２は、図６Ａに示す閉位置と図６Ｂに示す開位置との間で横方向にスライド移動可能または摺動自在になっている。アウタスライドバリア５２が閉位置にあるとき、カメラ本体１２の前面に配置された撮影レンズ２２およびフラッシュ１８がアウタスライドバリア５２によって覆われ、アウタスライドバリア５２が撮影レンズから退避した開位置にあるとき撮影レンズ２２およびフラッシュ１８が完全に露出されるようになっている。
【００４３】
アウタスライドバリア５２の背面側のカメラ本体１２には、図７Ａ〜７Ｃに示すように、検知スイッチ５４が配設されている。検知スイッチ５４は、アウタスライドバリア５２が図７Ａ、および、図７Ｃの実線で示す閉位置にあることを検知する検知手段と、アウタスライドバリア５２が図７Ｂ、および、図７の点線で示す開位置にあること検知する検知手段とを１つのスイッチで兼ねているものである。
【００４４】
アウタスライドバリア５２の背面には、凹部５３が検知スイッチ５４に対向して形成されている。そして、アウタスライドバリア５２が閉位置にあるときには、図８（ａ）および図９（ａ）に示すように、検知スイッチ５４の検知片５６がアウタスライドバリア５２の凹部５３の一方側の縁段部に係合することにより検知スイッチ５４はオフ状態になる。
【００４５】
アウタスライドバリア５２が閉位置から開位置に向けてスライド移動を開始すると、図８（ｂ）および図９（ｂ）に示すように、検知スイッチ５４の検知片５６がアウタスライドバリア５２の凹部５３の一方側の縁段部との係合が解除されることによって中立位置になり、これにより検知スイッチ５４はアウタスライドバリア５２が閉位置と開位置との間の中間位置あるときには第１オン状態になる。
【００４６】
アウタスライドバリア５２が開位置に来ると、図８（ｃ）および図９（ｃ）に示すように、検知スイッチ５４の検知片５６がアウタスライドバリア５２の凹部５３の他方側の縁段部に係合することにより検知スイッチ５４は第２オン状態になる。
【００４７】
このようにして１つの検知スイッチ５４でアウタスライドバリア５２が閉位置、開位置、または、その中間位置にあることを検知することができるようになっている。
【００４８】
続いて、前記構成からなるカメラ５０の動作および制御について、制御部４０で実行される制御フローを示す図１０を参照して説明する。なお、この制御フローは、先に撮影モード以外の再生モードの電源スイッチ１５をオンした場合の制御例を示しているが、電源スイッチ１５よりも先にアウタスライドバリア５２を開操作した場合の制御フローは図５に示すものと同様になる。
【００４９】
まず、電源スイッチ１５がオンされたかどうかを判断し（ステップＳ２０）、オンされるまで待機する。そして、電源スイッチ１５がオンされたら、カメラ５０の電源をオンして（ステップＳ２１）、再生モードを実行し（ステップＳ２２）、記録されている撮影画像を表示部２６に表示する（ステップＳ２３）。
【００５０】
次に、アウタスライドバリア５２の開操作が開始されたかどうかを判断する（ステップＳ２４）。これは、検知スイッチ５４がオフ状態または第１オン状態のいずれの状態にあるかで判断できる。アウタスライドバリア５２が閉位置にあって検知スイッチ５４がオフ状態にあるときには、アウタスライドバリア５２の開操作は開始されておらず、その場合には前記ステップＳ２２に戻る。一方、アウタスライドバリア５２の開操作が開始されて検知スイッチ５４が第１オン状態になったときには、撮影モードが実行されて（ステップＳ２５）、撮像素子１０７の起動及び表示部２６のライブビュー起動とフラッシュ１８の充電が行われる。
【００５１】
それから、アウタスライドバリア５２が開位置にあるかどうかを判断する（ステップＳ２６）。これは、検知スイッチ５４が第２オン状態にあるかどうかで判断できる。検知スイッチ５４が第１オン状態にあってアウタスライドバリア５２が中間位置にある場合には、前記ステップＳ２５に戻る。一方、アウタスライドバリア５２が開位置に来て検知スイッチ５４が第２オン状態になったときには、レリーズを許可する（ステップＳ２７）。これにより、カメラ５０は撮影開始が可能な状態になる。
【００５２】
そして、レリーズボタン１４がオンされたかどうかを判断し（ステップＳ２８）、オンされたら撮影を実行し（ステップＳ２９）、オンされない場合には次のステップＳ３０に進む。
【００５３】
その後、アウタスライドバリア５２の閉操作が開始されたかどうかを判断する（ステップＳ３０）。これは、検知スイッチ５４が第１オン状態または第２オン状態のいずれの状態にあるかで判断できる。アウタスライドバリア５２が開位置にあって検知スイッチ５４が第２オン状態にあるときには、アウタスライドバリア５２の閉操作は開始されておらず、その場合には前記ステップＳ２８に戻る。一方、アウタスライドバリア５２の閉操作が開始されて検知スイッチ５４が第１オン状態になったときには、レリーズを禁止する（ステップＳ３１）。
【００５４】
続いて、アウタスライドバリア５２が閉位置にあるかどうかを判断する（ステップＳ３２）。これは、検知スイッチ５４が第１オン状態またはオフ状態のいずれの状態にあるかで判断できる。検知スイッチ５４が第１オン状態のままでアウタスライドバリア５２が閉位置にないときには、前記ステップＳ２６に戻る。一方、アウタスライドバリア５２が閉位置に来て検知スイッチ５４がオフ状態になったときには、撮影モードを終了して（ステップＳ３３）、表示部２６に画像を表示する再生モードを実行する（ステップＳ３４）。
【００５５】
次いで、電源スイッチ１５がオフされたかどうかを判断し（ステップＳ３５）、オフされていなければ前記ステップＳ３４に戻り、一方、オフされたときにはカメラ１０の電源をオフする（ステップＳ３６）。
【００５６】
このように本実施形態のカメラ５０によっても、前記第１実施形態のカメラ１０と同様の作用効果を奏することができる。すなわち、本実施形態のカメラ５０では、検知スイッチ５４によってアウタスライドバリア５２が閉位置にあるかどうかを検知でき、アウタスライドバリア５２が閉位置にないこと（すなわちアウタスライドバリア５２が開位置へ向けて開き始めたこと）を検知したら直ちに制御部４０が撮影モードでの撮像素子１０７等の起動を開始するので、アウタスライドバリア５２が開位置に到達してから撮像素子１０７等の起動を開始するのに比べて、起動時間を短縮できる。
【００５７】
また、カメラ５０が一旦起動された後、検知スイッチ５４によってアウタスライドバリア５２が閉位置にあることを検知したときにのみ電源がオフされるようにすることができるので、アウタスライドバリア５２が開位置まで完全に移動した後に閉位置側に少しだけ移動しただけでは電源はオフされない。したがって、従来のアウタスライドバリア付きカメラでは、アウタスライドバリアを開位置から不用意に閉位置側に少しだけ移動させた場合にも電源がオフされてしまって再起動を必要とするものがあったが、本実施形態のカメラ５０ではそのようなことはなく、再起動の煩雑さや時間的ロスを回避できる。
【００５８】
さらに、カメラ５０では、アウタスライドバリア５２が開位置または閉位置にあるのを１つの検知スイッチ５４で検知できるようにしたので、２つの検知スイッチを設ける場合に比べてコストダウンを図れる。
【００５９】
なお、前記第２実施形態では、アウタスライドバリア５２が閉位置にある状態、閉位置と開位置との中間位置にある状態、開位置にある状態の３つの状態を検知している。しかし、アウタスライドバリア５２が閉位置にあるときにオンする別のスイッチを設け、このスイッチがオフしたときに電源をオンしてカメラ５０を起動し、前記スイッチがオフした後に再びオンしたときに電源をオフするように制御することによっても、起動時間を短縮できるとともに、再起動の煩雑さや時間的ロスを回避できる。
【図面の簡単な説明】
【００６０】
【図１Ａ】第１実施形態のカメラの正面図。
【図１Ｂ】アウタスライドバリアが開位置にあるカメラの正面図。
【図１Ｃ】カメラの背面図。
【図２Ａ】カメラ上面から見た屈曲光学系を示す図。
【図２Ｂ】カメラ正面から見た屈曲光学系を示す図。
【図３Ａ】閉位置にあるアウタスライドバリアの内部構造を示す図。
【図３Ｂ】中間位置にあるアウタスライドバリアの内部構造を示す図。
【図３Ｃ】開位置にあるアウタスライドバリアの内部構造を示す図。
【図４】カメラのブロック図。
【図５】制御フローチャート。
【図６Ａ】第２実施形態のカメラの正面側から見た斜視図。
【図６Ｂ】アウタスライドバリアが開位置にあるカメラの正面側から見た斜視図。
【図７Ａ】アウタスライドバリアが閉位置にあるカメラの上面図。
【図７Ｂ】アウタスライドバリアが開位置にあるカメラの上面図。
【図７Ｃ】カメラの正面図。
【図８】アウタスライドバリアと検知スイッチとの関係を示す図。
【図９】３段階に切り換わる検知スイッチを示す図。
【図１０】制御フローチャート。
【符号の説明】
【００６１】
１０，５０…カメラ
１２…カメラ本体
１４…レリーズボタン
１５…電源スイッチ（指示手段）
１８…フラッシュ
２０，５２…アウタスライドバリア
２２…レンズ
２３…検知突片
２６…表示部
３４…第１検知スイッチ（第１検知手段）
３６…第２検知スイッチ（第２検知手段）
４０…制御部またはＣＰＵ（制御手段）
４２…撮像素子
５４…検知スイッチ（検知手段）
【図１Ａ】
2005215576.tif 000003
【図１Ｂ】
2005215576.tif 000004
【図１Ｃ】
2005215576.tif 000005
【図２Ａ】
2005215576.tif 000006
【図２Ｂ】
2005215576.tif 000007
【図３Ａ】
2005215576.tif 000008
【図３Ｂ】
2005215576.tif 000009
【図３Ｃ】
2005215576.tif 000010
【図４】
2005215576.tif 000011
【図５】
2005215576.tif 000012
【図６Ａ】
2005215576.tif 000013
【図６Ｂ】
2005215576.tif 000014
【図７Ａ】
2005215576.tif 000015
【図７Ｂ】
2005215576.tif 000016
【図７Ｃ】
2005215576.tif 000017
【図８】
2005215576.tif 000018
【図９】
2005215576.tif 000019
【図１０】
2005215576.tif 000020